(57)【要約】【課題】ユーザーがアクセスする前に通信速度の可能範囲を認識することができて、期待する通信速度が得られない状況に於いては、アクセスを見送る、低速度通信を覚悟の上でアクセスを行なう、又は期待する通信速度の提供が可能なエリアに移動してからアクセスする等の判断を行なうことが可能な移動体通信システム及び移動体端末を提供すること。【解決手段】無線基地局内に点在する移動端末及び固定端末と無線基地局とから構成されるＣＤＭＡ方式の移動体通信システムにおいて、前記無線基地局の制御装置１はＲＡＢアサイン判定機能部を備え、このＲＡＢアサイン判定機能部は、無線帯域の使用帯域・空き帯域から提供可能なＲＡＢ　Ｍｅｎｕ情報を算出するＲＡＢ　Ｍｅｎｕ情報算出部を備えており、このＲＡＢ　Ｍｅｎｕ情報を移動体端末２で受信して表示できるように構成したことにある。【選択図】　図１
2004056467.tif 000002
【特許請求の範囲】
【請求項１】
無線基地局内に点在する移動端末及び固定端末と、無線基地局とから構成されるＣＤＭＡ方式の移動体通信システムにおいて、前記無線基地局の制御装置は、ＲＡＢアサイン判定機能部を具備して成ることを特徴とする移動体通信システム。
【請求項２】
前記ＲＡＢアサイン判定機能部は、無線帯域の使用帯域・空き帯域から提供可能なＲＡＢ　Ｍｅｎｕ情報を算出するＲＡＢ　Ｍｅｎｕ情報算出部を備えることを特徴とする請求項１に記載した移動体通信システム。
【請求項３】
前記無線基地局の制御装置は、前記算出したＲＡＢ　Ｍｅｎｕ情報を同報チャネルを用いて前記無線基地局内に点在する移動端末及び固定端末に一定の周期で送信するＲＡＢ　Ｍｅｎｕ情報送信部を備えることを特徴とする請求項１に記載した移動体通信システム。
【請求項４】
前記ＲＡＢ　Ｍｅｎｕ情報は、無線帯域の使用帯域・空き帯域から複数の段階に構成して成ることを特徴とする請求項２記載の移動体通信システム。
【請求項５】
ＣＤＭＡ方式の移動体通信システムを構成する無線基地局と移動体端末とにおいて、前記移動体端末は、前記無線基地局から送信されるＲＡＢ　Ｍｅｎｕ情報を受信するＲＡＢ　Ｍｅｎｕ情報受信部を具備して成ることを特徴とする移動体端末。
【請求項６】
前記移動体端末は、前記ＲＡＢ　Ｍｅｎｕ情報を表示するＲＡＢ　Ｍｅｎｕ情報表示部を具備して成ることを特徴とする請求項５に記載した移動体端末。
【発明の詳細な説明】
【０００１】
【発明の属する技術分野】
本発明は、移動体通信システム及び移動体端末に関するものである。更に詳述すれば本発明は、ＣＤＭＡ（Ｃｏｄｅ　Ｄｉｖｉｓｉｏｎ　Ｍｕｌｔｉｐｌｅ　Ａｃｃｅｓｓ）方式の移動体通信システムにおいて、無線基地局内に点在する移動端末及び固定端末に対し、現在提供可能なＲＡＢ（Ｒａｄｉｏ　Ａｃｃｅｓｓ　Ｂｅａｒｅｒ）をユーザーに通知し、移動端末及び固定端末のディスプレイ（表示部）上に通信可能なＲＡＢメニューを表示させることが可能な移動体通信システム及び移動体端末に関するものである。
【０００２】
【従来の技術】
ＣＤＭＡ（Ｃｏｄｅ　Ｄｉｖｉｓｉｏｎ　Ｍｕｌｔｉｐｌｅ　Ａｃｃｅｓｓ）方式の移動体通信システムにおいては、無線基地局内に点在する移動端末及び固定端末間で高速通信及び大容量のデータ通信が可能であり、現在活発に利用されている。加えて、第三世代移動通信に入り、従来以上にＲＡＢメニューが増え、又、サービスの多様化により通信速度を適度に使い分ける必要が出てきている。
【０００３】
上記の問題に関連して、特開２０００−２０９６３４号公報には、「無線通信帯域の使用率が高いセルにおける残りの無線通信帯域を有効利用することを可能とし、これによりトラヒックが混雑しているセルに収容された移動無線通信端末が参加しての緊急な通信を行うことを可能とするとともに、無線資源の無駄を防ぐことを可能とする」という課題に対して、「移動無線通信端末のそれぞれに端末クラスを設定しておく。交換制御局では、生起が要求された呼に参加する移動無線通信端末の端末クラスを端末クラス判定部により判定する。呼に参加する移動無線通信端末が収容された無線基地局での空き帯域率を無線帯域管理部により判定する。呼接続判定部は、呼に参加する移動無線通信端末のそれぞれについて、その端末クラスと空き帯域率とに基づいて呼生起の可否を判定する。そして呼生起が不可である移動無線通信端末が含まれるなら、呼処理部はその呼を生起しない」という解決手段が開示されている。
【０００４】
又、特開２０００−２４４５２３号公報には、「競合制御を用いる無線パケット通信システムにおいて、上下両方向における予約及びユーザの要求に応じた遅延とデータサイズの周波数資源予約を実現する」という課題に対して、「システムを構成する無線局であるアクセスポイントＡＰとステーションＳＴＡは、ビーコン信号を通じて同期を取ると同時に、モジュロＭで繰り返すカウンタにより時間の管理を行う。無線局が周波数資源の予約を行う際には、データ伝送に必要となる品質をＡＰに対して要求し、ＡＰは要求された品質に従って送信タイミングを規定するモジュロ数とデータサイズを指定すると同時に、前記ＡＰは周波数資源の割り当て状況を、周期的に送信されるビーコン信号によって報知する。無線局はビーコンより得た割り当て情報をもとに、仮想的キャリアセンスにより、他の局に割り当てられたタイミングでの送信を抑制することから、あるタイミングにおいて、周波数資源の割り当てを受けた無線局が排他的にチャネルを使用することが可能となる」という解決手段が開示されている。
【０００５】
そして、特開２００１−３５２３６４号公報には、「ユーザの希望にできるだけ合った品質での通信サービスを受けることができるようにした通信端末装置を提供すること」という課題に対して、「所定のネットワークを介して通信を行うに際し、ユーザの要求する通信サービスの品質を表す要求Ｑｏｓ（Ｑｕａｌｉｔｙ　ｏｆ　Ｓｅｒｖｉｃｅ）の各パラメータの設定が可能な通信端末装置において、該要求Ｑｏｓ及びネットワークの状態に基いてネットワーク側にて決定された決定Ｑｏｓと上記設定された要求Ｑｏｓとが異なる場合に、通信を継続するか切断するかのいずれかをユーザの意思に基づいて選択する通信制御手段を有する通信端末装置にて達成する」という解決手段が開示されている。
【０００６】
更に、特開平１１−１７６０７号公報には、「パケットに要求される各種のサービス品質を満足すると共に、無線チャネルの有効利用を可能としながら、高トラフィック時に於いても、各サービス品質を維持可能な無線パケット伝送システムを提供する」という課題に対して、「移動局の予約信号のアクセス制御を基地局により報知する送信許可確率情報に基づいて行う。基地局は、各種サービス品質毎に異なる複数個の送信許可確率情報を報知し、各々の送信許可確率に異なる優先度を付加する。予約チャネル容量と予約信号のトラフィック量を推定し、これらの値に応じて送信許可確率間の優先度を適応的に変化させる。また、予約信号のトラフィック量に関する閾値を設定し、第１の優先度のサービス品質の予約信号のトラフィック量が閾値以上になった場合は、すべての予約チャネル容量を第１の優先度のサービス品質の予約信号の伝送用に割り当てる」という解決手段が開示されている。
【０００７】
加えて、特開平２−２７４１３１号公報には、「無線回線の品質に応じて常に最適な条件でデータ伝送を行なえるようにし、これにより伝送誤りの低減と伝送効率の向上とをそれぞれ実現する移動体無線通信システムの伝送制御方式を提供する」という課題に対して、「１局の制御局と複数の無線局とを備え、上記制御局が制御チャネルを介して上記各無線局間の回線制御を行なうとともに、通信チャネルを介して上記各無線局間のデータ通信を中継する移動無線通信システムにおいて、上記各無線局に、回線制御時に上記制御局から制御チャネルを介して送られる信号から無線回線の品質を検出する回線品質検出手段と、伝送速度設定手段とを備え、この伝送制御手段により、予め用意してある複数種類の伝送速度の中から上記回線品質検出手段により検出された回線品質に対応する伝送速度を選択して通信チャネルに設定するようにする」という解決手段が開示されている。
【０００８】
【発明が解決しようとする課題】
従来の移動体通信システム及び移動体端末には、以下に説明する問題点があった。
【０００９】
特開２０００−２０９６３４号公報の「移動体通信システムと、その移動体システムで用いられる交換制御局および移動無線通信端末」では、「無線通信帯域の使用率が高いセルにおける残りの無線通信帯域を有効利用することを可能とし、これによりトラヒックが混雑しているセルに収容された移動無線通信端末が参加しての緊急な通信を行うことを可能とするとともに、無線資源の無駄を防ぐことを可能とする」が、ユーザーはインフラの都合でアサインされたＲＡＢを使用するしか無く、その結果期待する通信速度が得られなかった場合、そのまま我慢するか、或いは呼切断するしかなかった。
【００１０】
特開２０００−２４４５２３号公報の「無線パケット通信システム」では、「競合制御を用いる無線パケット通信システムにおいて、上下両方向における予約及びユーザの要求に応じた遅延とデータサイズの周波数資源予約を実現する」ことは可能であるが、上記と同様に、ユーザーはインフラの都合でアサインされたＲＡＢを使用するしか無く、その結果期待する通信速度が得られなかった場合、そのまま我慢するか、或いは呼切断するしかなかった。
【００１１】
特開２００１−３５２３６４号公報の「通信端末装置」では、「ユーザの希望にできるだけ合った品質での通信サービスを受けることができるようにした通信端末装置を提供すること」が可能ではあるが、ユーザーはインフラの都合でアサインされたＲＡＢを使用するしか無く、その結果期待する通信速度が得られなかった場合、そのまま我慢するか、或いは呼切断するしかなかった。
【００１２】
特開平１１−１７６０７号公報の「無線パケット伝送システム」では、「パケットに要求される各種のサービス品質を満足すると共に、無線チャネルの有効利用を可能としながら、高トラフィック時に於いても、各サービス品質を維持可能な無線パケット伝送システムを提供する」ことが可能ではあっても、システムの構成が複雑であったり、閾値の設定が簡単でなかったり、上記と同様に、ユーザーはインフラの都合でアサインされたＲＡＢを使用するしか無く、その結果期待する通信速度が得られなかった場合、そのまま我慢するか、或いは呼切断するしかなかった。
【００１３】
特開平２−２７４１３１号公報の「移動無線通信システムの伝送制御方式」では、「無線回線の品質に応じて常に最適な条件でデータ伝送を行なえるようにし、これにより伝送誤りの低減と伝送効率の向上とをそれぞれ実現する移動体無線通信システムの伝送制御方式を提供する」ことが可能ではあるが、やはり上述したように、ユーザーはインフラの都合でアサインされたＲＡＢを使用するしか無く、その結果期待する通信速度が得られなかった場合、そのまま我慢するか、或いは呼切断するしかなかった。
【００１４】
以上要するに、ＣＤＭＡ（Ｃｏｄｅ　Ｄｉｖｉｓｉｏｎ　Ｍｕｌｔｉｐｌｅ　Ａｃｃｅｓｓ）方式の移動体通信システムは、高速通信及び大容量のデータ通信が可能ではあるものの、無線帯域の使用率によりユーザーが期待する通信速度が得られない場合があり、期待する通信速度が得られなかった場合、そのまま我慢するか、或いは呼切断するしかなかった。
【００１５】
本発明は、以上の従来技術における問題点を鑑みてなされたものであって、その目的とするところは、ユーザーがアクセスする前に通信速度の可能範囲を認識することが可能であり、期待する通信速度が得られない状況に於いては、アクセスを見送る、低速度通信を覚悟の上でアクセスを行なう、又は期待する通信速度の提供が可能なエリアに移動してからアクセスする等の判断が行なえる移動体通信システム及び移動体端末を提供することにある。即ち、ユーザーに対して事前に通信速度を報知し、システム状態を示すことでサービスの向上を図るものである。
【００１６】
【課題を解決するための手段】
前記課題を解決する本出願第一の発明の移動体通信システムは、無線基地局内に点在する移動端末及び固定端末と、無線基地局とから構成されるＣＤＭＡ方式の移動体通信システムにおいて、前記無線基地局の制御装置は、ＲＡＢアサイン判定機能部を具備して成ることを特徴とする。
【００１７】
したがって以上の本出願第一の発明の移動体通信システムによれば、無線帯域の使用帯域・空き帯域から提供可能なＲＡＢ　Ｍｅｎｕ情報を得ることができ、その結果、ユーザーがアクセスする前に通信速度の可能範囲を認識することが可能であり、期待する通信速度が得られない状況に於いては、アクセスを見送る、低速度通信を覚悟の上でアクセスを行なう、又は期待する通信速度の提供が可能なエリアに移動してからアクセスする等の判断が行なえることとなる。
【００１８】
前記課題を解決する本出願第二の発明の移動体通信システムは、本出願第一の発明の移動体通信システムに於いて、前記ＲＡＢアサイン判定機能部は、無線帯域の使用帯域・空き帯域から提供可能なＲＡＢ　Ｍｅｎｕ情報を算出するＲＡＢ　Ｍｅｎｕ情報算出部を備えることを特徴とする。
【００１９】
したがって以上の本出願第二の発明の移動体通信システムによれば、無線帯域の使用帯域・空き帯域から提供可能なＲＡＢ　Ｍｅｎｕ情報を算出することができることとなる。
【００２０】
前記課題を解決する本出願第三の発明の移動体通信システムは、本出願第一の発明の移動体通信システムに於いて、前記無線基地局の制御装置は、前記算出したＲＡＢ　Ｍｅｎｕ情報を同報チャネルを用いて前記無線基地局内に点在する移動端末及び固定端末に一定の周期で送信するＲＡＢ　Ｍｅｎｕ情報送信部を備えることを特徴とする。
【００２１】
したがって以上の本出願第三の発明の移動体通信システムによれば、前記算出したＲＡＢ　Ｍｅｎｕ情報を同報チャネルを用いて前記無線基地局内に点在する移動端末及び固定端末に一定の周期で送信することができることとなる。
【００２２】
前記課題を解決する本出願第四の発明の移動体通信システムは、本出願第二の発明の移動体通信システムに於いて、前記ＲＡＢ　Ｍｅｎｕ情報は、無線帯域の使用帯域・空き帯域から複数の段階に構成して成ることを特徴とする。
【００２３】
したがって以上の本出願第四の発明の移動体通信システムによれば、移動体端末は前記ＲＡＢ　Ｍｅｎｕ情報を受信することで、無線帯域の使用帯域・空き帯域の情報を詳細に知ることができることとなる。
【００２４】
前記課題を解決する本出願第五の発明の移動体端末は、ＣＤＭＡ方式の移動体通信システムを構成する無線基地局と移動体端末とにおいて、前記移動体端末は、前記無線基地局から送信されるＲＡＢ　Ｍｅｎｕ情報を受信するＲＡＢ　Ｍｅｎｕ情報受信部を具備して成ることを特徴とする。
【００２５】
したがって以上の本出願第五の発明の移動体端末によれば、各移動体端末でＲＡＢ　Ｍｅｎｕ情報を受信することができることとなる。
【００２６】
前記課題を解決する本出願第六の発明の移動体端末は、該移動体端末に前記ＲＡＢ　Ｍｅｎｕ情報を表示するＲＡＢ　Ｍｅｎｕ情報表示部を具備して成ることを特徴とする。
【００２７】
したがって以上の本出願第六の発明の移動体端末によれば、ユーザーがこの表示を見て、アクセスする前に通信速度の可能範囲を認識することが可能である。更に、アクセスを見送る、低速度通信を覚悟の上でアクセスを行なう、又は期待する通信速度の提供が可能なエリアに移動してからアクセスする等の判断が行なうことが可能になる。
【００２８】
【発明の実施の形態】
本発明の実施の形態を以下、図面に基づいて詳述する。
【００２９】
図１は、本発明の移動体通信システム及び移動体端末の一実施例を示した説明図であり、図２は、図１の移動体通信システム及び移動体端末の一実施例に関わり、端末ディスプレイ（表示部）上での表示例の説明図である。ただし、１）はＲＡＢ　Ｍｅｎｕ情報▲３▼、▲５▼を受信した場合、２）はＲＡＢ　Ｍｅｎｕ情報▲２▼、▲４▼を受信した場合、３）はＲＡＢ　Ｍｅｎｕ情報▲１▼、▲６▼を受信した場合について示している。
【００３０】
１は無線基地局制御装置、２は無線基地局のセクタ内にある移動端末及び固定端末を示す。無線基地局制御装置１と端末２間は有線リンク３と、無線リンク４とによって接続されている。又、無線基地局制御装置１において、無線帯域の使用帯域・空き帯域からＲＡＢ　Ｍｅｎｕ情報を割り出すイメージを▲１▼〜▲６▼のデータイメージにて示している。
【００３１】
無線基地局制御装置１は、例えば、パケット情報を無線信号に変換する無線部と、パケットの組み立てや分解や誤り訂正符号の付加、誤り訂正などを行なうパケット制御部と、受信したパケット情報を一時格納する受信バッファと、移動体端末に報知する送信許可確率を生成する送信許可確率設定部と、予約の付与、解除や予約チャネルの容量を監視する予約チャネル監視部と、予約パケットのトラフィック量を推定するトラフィック推定部とから構成することができる。これらは従来の構成例の一例である。
【００３２】
本発明の無線基地局の制御装置は、ＲＡＢアサイン判定機能部を具備して成ることを特徴としており、且つ前記ＲＡＢアサイン判定機能部は、無線帯域の使用帯域・空き帯域から提供可能なＲＡＢ　Ｍｅｎｕ情報を算出するＲＡＢ　Ｍｅｎｕ情報算出部を備えている。
そして、前記無線基地局の制御装置は、前記算出したＲＡＢ　Ｍｅｎｕ情報を同報チャネルを用いて前記無線基地局内に点在する移動端末及び固定端末に一定の周期で送信するＲＡＢ　Ｍｅｎｕ情報送信部を備えている。尚、前記ＲＡＢ　Ｍｅｎｕ情報は、無線帯域の使用帯域・空き帯域から複数の段階に構成しているが、図１では６段階に構成している。
【００３３】
ＲＡＢ　Ｍｅｎｕ情報算出部は、無線帯域の状況を調べて使用帯域・空き帯域から提供可能なＲＡＢ　Ｍｅｎｕ情報を算出するものである。
【００３４】
ＲＡＢ　Ｍｅｎｕ情報送信部は、前記ＲＡＢ　Ｍｅｎｕ情報算出部で算出されたＲＡＢ　Ｍｅｎｕ情報を、移動体通信システム内の移動体端末及び固定端末に送信するものである。
【００３５】
移動体端末（単に端末と記載する場合もある）２は、無線基地局１から送信されるＲＡＢ　Ｍｅｎｕ情報を受信するＲＡＢ　Ｍｅｎｕ情報受信部と、前記ＲＡＢＭｅｎｕ情報を表示するＲＡＢ　Ｍｅｎｕ情報表示部を具備していることが特徴である。
【００３６】
ＲＡＢ　Ｍｅｎｕ情報受信部は、移動体端末及び固定端末内にあり、前記無線基地局の制御装置のＲＡＢ　Ｍｅｎｕ情報送信部から送信されたＲＡＢ　Ｍｅｎｕ情報を受信するものである。
【００３７】
ＲＡＢ　Ｍｅｎｕ情報表示部は、移動体端末及び固定端末内にあり、前記ＲＡＢ　Ｍｅｎｕ情報受信部で受信したＲＡＢ　Ｍｅｎｕ情報を表示するものである。
【００３８】
即ち、本発明の無線基地局制御装置１には、ＲＡＢアサイン判定機能部が備えられており、このＲＡＢアサイン判定機能部にあるＲＡＢ　Ｍｅｎｕ情報算出部を用いて、無線帯域の使用帯域・空き帯域から提供可能なＲＡＢ　Ｍｅｎｕ情報を算出する。算出したＲＡＢ　Ｍｅｎｕ情報はＢＣＣＨ（Ｂｒｏａｄｃａｓｔ　Ｃｏｎｔｒｏｌ　Ｃｈａｎｎｅｌ）などの同報チャネルを用いて無線基地局制御装置１内のＲＡＢ　Ｍｅｎｕ情報送信部から、移動体端末２に一定の周期で送信する。
【００３９】
無線帯域の時間変化は、刻一刻と変化しており、例えば図１に示すように、横軸に時間（Δｔ）、縦軸に空き帯域（％）として示した場合、空き帯域は１０％〜８０％まで変化している。或る時刻での空き帯域の情報を、前記ＲＡＢアサイン判定機能部にあるＲＡＢ　Ｍｅｎｕ情報算出部が算出する。そのイメージデータを▲１▼〜▲６▼で表示している。このイメージデータ▲１▼から▲６▼は、ＲＡＢ　Ｍｅｎｕ情報送信部より刻一刻移動体端末２に時系列で送信される。その様子を図１の下図に示している。
【００４０】
移動体端末２では、同報チャネルを用いてＲＡＢ　Ｍｅｎｕ情報送信部から送信されたＲＡＢ　Ｍｅｎｕ情報を、ＲＡＢ　Ｍｅｎｕ情報受信部で受信し、通信可能な速度をＲＡＢ　Ｍｅｎｕ情報表示部で表示する。図２は、イメージデータ▲１▼〜▲６▼のＲＡＢ　Ｍｅｎｕ情報を受信した場合、ＲＡＢ　Ｍｅｎｕ情報表示部での表示の様子を示している。現状の電界レベル情報（棒グラフ）と同じように、提供可能なＲＡＢ　Ｍｅｎｕ情報から低通信速度、中通信速度、高通信速度として通信速度を分け、棒グラフによって表示した例を表示例２１、表示例２２、表示例２３にて表している。表示例２１はＲＡＢ　Ｍｅｎｕ情報の▲３▼、▲５▼を受信した場合の表示例であり、表示例２２はＲＡＢ　Ｍｅｎｕ情報の▲２▼、▲４▼を受信した場合の表示例であり、表示例２３はＲＡＢ　Ｍｅｎｕ情報の▲１▼、▲６▼を受信した場合の表示例を示している。尚、表示方法としては棒グラフでなくとも、通信可能な通信速度の最大値を数値表示としても良い。
【００４１】
従って、ユーザーはアクセスする前に通信速度の可能範囲を認識することが可能であり、期待する通信速度が得られない状況に於いては、アクセスを見送る、低速度通信を覚悟の上でアクセスを行なう、期待する通信速度の提供が可能なエリアに移動してからアクセスするなどの判断が行なえるようになる。つまり、ユーザーに対して事前に通信速度を報知してシステム状態を示すことで、サービスの向上が図れるわけである。
【００４２】
尚、図１内の無線リンク４と有線リンク３とは、本発明を限定するものではなく、移動体端末２と無線基地局内の制御装置１とで相互に通信が行なえるための手段であれば如何なる形態であっても構わない。
【００４３】
【発明の効果】
以上のように、本発明の移動体通信システム及び移動体端末によれば、無線基地局内に点在する移動端末及び固定端末と、無線基地局とから構成されるＣＤＭＡ方式の移動体通信システムにおいて、前記無線基地局の制御装置はＲＡＢアサイン判定機能部を備え、このＲＡＢアサイン判定機能部は、無線帯域の使用帯域・空き帯域から提供可能なＲＡＢ　Ｍｅｎｕ情報を算出するＲＡＢ　Ｍｅｎｕ情報算出部を備え、このＲＡＢ　Ｍｅｎｕ情報を移動体端末で受信して表示できるように構成したので、ユーザーがアクセスする前に通信速度の可能範囲を認識することが可能であり、期待する通信速度が得られない状況に於いては、アクセスを見送る、低速度通信を覚悟の上でアクセスを行なう、又は期待する通信速度の提供が可能なエリアに移動してからアクセスする等の判断を行なうことが可能となり、ユーザーに対して事前に通信速度を報知してシステム状態を示すことでサービスの向上が図れるという優れた効果を発揮する。
【図面の簡単な説明】
【図１】本発明の移動体通信システムの一実施例を示す説明図である。
【図２】本発明の移動体端末の一実施例を示したものであって、ＲＡＢ　Ｍｅｎｕ情報表示部における表示例の説明図である。
【符号の説明】
１　無線基地局制御装置
２　移動体端末
３　有線リンク
４　無線リンク
▲１▼〜▲６▼　ＲＡＢ　Ｍｅｎｕ情報のイメージデータ
２１〜２３　表示例
【図１】
2004056467.tif 000003
【図２】
2004056467.tif 000004